(57)【要約】【課題】演劇やスポーツ等において、顧客が撮りたいシーンのタイミングを逃すことなく写真撮影を行うことを可能とする。【解決手段】顧客の無線機能付きのカメラに対し、これをリモートコントロールするセンタサーバに被写体の動きのデータを予め登録しておき、前記サーバから前記カメラに対して、前記被写体の動きのデータを送信し、前記被写体の動きのデータを受信したカメラから、前記サーバに所定のシーンを登録すると、前記サーバは、前記登録されたシーンの直前に前記カメラをリモートコントロールモードに切り換え、前記登録されたシーンで自動的に前記カメラのシャッタを切り、撮影終了後は、前記カメラのリモートコントロールモードを解除する。【選択図】図１
2004297197.tif 000002
【特許請求の範囲】
【請求項１】
顧客の無線機能付きのカメラに対し、これをリモートコントロールする管理サーバに被写体の動きのデータを予め登録しておき、
前記管理サーバから前記カメラに対して、前記被写体の動きのデータを送信し、
前記被写体の動きのデータを受信したカメラから、前記管理サーバに所定のシーンを登録すると、
前記管理サーバは、前記登録されたシーンの直前に前記カメラをリモートコントロールモードに切り換え、前記登録されたシーンで自動的に前記カメラのシャッタを切り、撮影終了後は、前記カメラのリモートコントロールモードを解除するようにしたことを特徴とする撮影制御方法。
【請求項２】
前記管理サーバは、前記カメラから送信されるデータに基づいて前記カメラの位置を特定し、前記カメラのＡＥ、ＡＦ、ズームおよびストロボ制御を行う請求項１に記載の撮影制御方法。
【請求項３】
前記管理サーバは、前記カメラからその機種情報を受け取り、該機種情報に基づいて前記カメラの撮影制御を行う請求項１または２に記載の撮影制御方法。
【請求項４】
前記カメラは、前記被写体の動きのデータを受信し前記所定のシーンを前記管理サーバに登録する際、マルチモーション撮影モードを選択することができる請求項１〜３のいずれかに記載の撮影制御方法。
【請求項５】
前記所定シーンの登録を受けた前記管理サーバは、前記カメラに対して、その所定シーンに対応した撮影場所を前記カメラに対して指示する請求項１〜４のいずれかに記載の撮影制御方法。
【発明の詳細な説明】
【０００１】
【発明の属する技術分野】
本発明は、撮影制御方法に係り、特に、顧客が撮影したいシーンのタイミングを逃すことなく撮影することを可能とする撮影制御方法に関する。
【０００２】
【従来の技術】
従来、演劇やショーの鑑賞、スポーツやレース等の観戦、あるいは花火等のイベントの見物等、様々な場面で写真撮影が広く行われている。また、カメラの機能もＡＦ（オートフォーカス）やＡＥ（自動露出）等一段と向上している。
また、カメラに通信機能を付加していろいろなサービスを行うことも提案されている。例えば、特許文献１には、公園、観光地、娯楽施設、競技場、野球場、遊技場、アミューズメントパーク、テーマパーク等の所定の領域内の撮影場所に応じた特定キャラクタ等の画像や文書などの合成データを合成し、または付随させて記録し、娯楽性を向上させたプリント等の再生画像および撮影時の娯楽性を向上させたレンズ付きフィルムやカメラ等の撮影システムが記載されている。
【０００３】
また、従来の撮影システムにおいては、実際の撮影行動は顧客自身が行う必要があった。すなわち、演劇やスポーツ等を見ながら、その進行に合わせて丁度よいアングルおよびタイミングで、顧客自身がカメラを向けて素早く距離や露出を合わせてシャッタを切らねばならない。また、通常の観光地等においても、素人では、写真撮影に失敗することも多かった。
【０００４】
そこで、演劇等においては、劇場で予め業者が撮影した写真プリント等の販売が行われることも多い。また、例えば従来から著名観光スポット等においては、いわゆる観光写真屋なる業者が写真撮影のための背景や小道具等を用意して、写真撮影およびプリントの配送等のサービスを提供するというようなことも行われていた。また、近年では、自動撮影機能を有するロボットカメラが設置されているケースも多くなっている。
【０００５】
【特許文献１】
特開２００１−３５６３９５号公報
【０００６】
【発明が解決しようとする課題】
しかしながら、写真撮影に熟練している者でも、カメラ機種によっては、電源オン後、撮影可能になるまでの時間、ＡＥ、ＡＦ等の機能によるシャッタオンから撮影までの時間が掛かることで、撮影タイミングを逃すことが起こってしまうという問題があった。
また、顧客の撮影行動では、撮りたいと思った時点からカメラの電源をオンにして構えるまでの時間ロスや、イベントでの好適なシーンの撮影タイミングそのものを逃してしまうという問題もある。
【０００７】
また、ロボットカメラのような自動撮影装置は撮影に好適な場所に設置されているとはいっても、設置場所が決められているため、きまったアングルで撮影するしかなく、必ずしも顧客の要望に合わない場合もあった。同様に業者が撮影した写真では、アングルに満足できないケースもあったり、やはり自分で撮影した写真でないと、写真を鑑賞する楽しみに欠けるという問題もある。
また、上記特許文献１に記載されたものは、テーマパーク等において顧客が撮影した写真にその場にあったキャラクタ等を合成して写真の娯楽性を増すようにするものであって、顧客が望む写真を撮影するための撮影行動をサポートするためのものではなかった。
【０００８】
本発明は、前記従来の問題に鑑みてなされたものであり、演劇やスポーツ等において、顧客が撮りたいシーンのタイミングを逃すことなく写真撮影を行うことができる撮影制御方法を提供することを課題とする。
【０００９】
【課題を解決するための手段】
前記課題を解決するために、本発明は、顧客の無線機能付きのカメラに対し、これをリモートコントロールする管理サーバに被写体の動きのデータを予め登録しておき、前記管理サーバから前記カメラに対して、前記被写体の動きのデータを送信し、前記被写体の動きのデータを受信したカメラから、前記管理サーバに所定のシーンを登録すると、前記管理サーバは、前記登録されたシーンの直前に前記カメラをリモートコントロールモードに切り換え、前記登録されたシーンで自動的に前記カメラのシャッタを切り、撮影終了後は、前記カメラのリモートコントロールモードを解除するようにしたことを特徴とする撮影制御方法を提供する。
【００１０】
また、前記管理サーバは、前記カメラから送信されるデータに基づいて前記カメラの位置を特定し、前記カメラのＡＥ、ＡＦ、ズームおよびストロボ制御を行うことが好ましい。
【００１１】
また、前記管理サーバは、前記カメラからその機種情報を受け取り、該機種情報に基づいて前記カメラの撮影制御を行うことが好ましい。
【００１２】
また、前記カメラは、前記被写体の動きのデータを受信し前記所定のシーンを前記管理サーバに登録する際、マルチモーション撮影モードを選択することができることが好ましい。
【００１３】
また、前記所定シーンの登録を受けた前記管理サーバは、前記カメラに対して、その所定シーンに対応した撮影場所を前記カメラに対して指示することが好ましい。
【００１４】
【発明の実施の形態】
以下、本発明の撮影制御方法について、添付の図面に示される好適実施形態を基に詳細に説明する。
【００１５】
図１は、本発明に係る撮影制御方法の実施形態を示す説明図である。
本実施形態は、例えばテーマパーク内において、顧客があるイベントの写真を撮影する際に、そのイベントの見どころのシーンにおいて撮影タイミングを逃すことなく撮影できるように撮影を制御するものである。
【００１６】
図１において、顧客は、あるイベントにおける被写体１０をカメラ１２により撮影するものとする。カメラ１２は、無線機能を有している。テーマパーク内には、顧客のカメラ１２と無線通信するために、テーマパーク内の各所に無線通信部１４が設けられている。無線通信部１４は、テーマパーク内の管理サーバ１６と接続されている。また、管理サーバ１６は、テーマパーク内で行われる各種イベント（アトラクション）に登場する被写体１０の動きのデータを保管しているデータベース１８を有している。
この被写体１０の動きのデータは、いわゆるイベントの予告編のようなものであり、予めデータベース１８に登録される。
【００１７】
まず、本発明の第１実施形態について説明する。
図２は、本発明の第１実施形態の作用を示すフローチャートである。以下、図２のフローチャートに沿って説明する。
まず、ステップ１００において、テーマパークのセンタにある管理サーバ１６に、イベントの予告編データを用意する。これは、例えばそのイベントに登場する被写体１０の動きを示すデータであり、インデックス画像あるいは動画データとしてデータベース１８に登録される。
このとき、そのイベントのストーリーが全部事前にわかってしまっては面白みに欠けると思われる場合には、ストーリー展開の意外性を保つために、そのイベントの主要部分の画像にはマスクをかけるようにしてもよい。その場合、例えばお勧めシーン等の表示をしてシャッタチャンスであることを知らせるようにしてもよい。
【００１８】
次に、ステップ１１０において、顧客は、無線機能付きのカメラ１２で、管理サーバ１６と無線通信部１４を通じて交信を行い、そのイベントの予告編データ（被写体１０の動きデータ）を受信する。
次に、ステップ１２０において、顧客は、予告編データを受信するとカメラ１２で予告編の内容をチェックして、撮影したい所定のシーンを管理サーバ１６に登録する。この撮影シーンの登録は複数のシーンを登録できることが好ましい。撮影シーンを示す登録データは、顧客ＩＤとともに管理サーバ１６側に送信される。顧客ＩＤは、カメラ１２側で記憶しておく。
【００１９】
撮影シーンの登録を受けた管理サーバ１６側では、各顧客毎にその登録データを管理する。そして、各顧客毎の指定シーンのタイミングを図り、ステップ１３０において、その撮影タイミングの直前に顧客カメラ１２をリモートコントロールモードに切り換える。ここで、撮影タイミングの直前とは、特に限定はされないが、撮影タイミングのｎ秒前程度とする。リモートコントロールモードに切り換える際、必要に応じてカメラ１２の電源をオンにするよう制御するようにしてもよい。また、撮影タイミングが近づいたことを顧客に注意を喚起するように、管理サーバ１６からカメラ１２に何らかの信号を送り、例えば音声やランプ等で知らせるようにしてもよい。
【００２０】
リモートコントロールモードに入ったら、顧客は、カメラ１２を被写体１０に向けて構えるのみでよい。このとき、カメラ１２のモニタに該当する予告編シーンを表示するようにすることが好ましい。それによって顧客がカメラ１２を構えやすくなる。また、この段階で、カメラ１２は、ＡＥ、ＡＦ等の制御を済ませておくものとする。
そして、ステップ１４０において、登録されたシーンになったら管理サーバ１６からの指示によって、カメラ１２のシャッタが切られ、自動的に撮影が行われる。
【００２１】
最後に、ステップ１５０において、撮影が終了すると、管理サーバ１６からの信号によりカメラ１２のリモートコントロールモードが解除される。
さらに、登録シーンがある場合には、その直前に再びリモートコントロールモードに切り換えられる。
なお、新たに撮影シーンを登録することはリモートコントロールモード中を除いて、任意の時点で可能である。
【００２２】
このように、本実施形態によれば、一番難しい撮影タイミングであるカメラ１２のシャッタを、管理サーバ１６が制御して自動的に切るようにしたため、顧客はカメラ１２を好みのアングルで被写体１０に向け、目的とする被写体１０を画角に収める操作を行うだけで、撮影タイミングを逃すことなく撮影を行うことができる。
なお、ＡＥ、ＡＦおよびストロボ制御は、カメラ１２自身の自動制御機能によるものとする。また、ズーム制御は、顧客がマニュアルで行うものとするが、距離や露出も顧客の好みで手動で行えるようにしてもよい。また、イベントの進行時間が多少ずれたような場合には、シャッタも手動で補正できるようにしてもよい。
【００２３】
次に、本発明の第２実施形態について説明する。
本第２実施形態も基本的には、前述した第１実施形態と同様に、テーマパーク内において、顧客が、あるイベントを撮影する場合の撮影制御に関するものであり、図１に表される構成で実施される。ただ本第２実施形態は、カメラ１２を被写体１０に向ける以外の総てのカメラ１２の撮影動作を管理サーバ１６側で自動で制御するものである。
【００２４】
すなわち、本実施形態においては、カメラ１２の、ＡＥ、ＡＦ、ストロボ制御およびズーム制御も、総て管理サーバ１６側で制御して、顧客がカメラ１２を被写体１０に向けるだけで、あとは管理サーバ１６によって完全に自動撮影が行われるようになっている。
また、カメラ１２は、管理サーバ１６が最適撮影制御条件を決定するための情報を得るために、カメラ１２の位置を検出する、例えばＧＰＳ等の機能を有している。
【００２５】
図３は、本実施形態の作用を示すフローチャートである。以下、図３のフローチャートに沿って説明する。
ステップ２００からステップ２２０までは、前述した第１実施形態と同様である。まず、ステップ２００において、テーマパークのセンタにある管理サーバ１６に、イベントの予告編データを用意する。この予告編データは、データベース１８に登録される。
次にステップ２１０において、顧客は、無線機能付きのカメラ１２で、管理サーバ１６と無線通信部１４を介して交信し、そのイベントの予告編データを受信する。
【００２６】
次にステップ２２０において、顧客は、その予告編データをカメラ１２の表示部で再生してチェックし、撮影したいシーンを管理サーバ１６に登録する。管理サーバ１６は、登録されたデータを顧客毎に管理する。
このとき、撮影シーンの登録とともに、カメラ１２の位置を特定するための情報をも合わせて管理サーバ１６側に送信する。カメラ１２の位置を特定するための情報としては、特に限定はされないが、例えば、カメラ１２がＧＰＳ機能を有していれば、ＧＰＳ情報を送ればよい。また、ＧＰＳシステムのような大がかりなものでなくとも、例えば、カメラ１２が、テーマパークで貸し出されたもので、単にそのテーマパーク内でのみ利用可能な位置情報システムを利用できる機能を有するものであってもよい。あるいは、テーマパーク内の各所に設置されている無線通信部１４の位置からカメラ１２の位置を算出するようにしてもよい。
【００２７】
次にステップ２３０において、管理サーバ１６は、カメラ１２から送信されたＧＰＳ情報等の情報により、カメラ１２の位置を特定する。
次にステップ２４０において、その特定したカメラ位置から被写体１０を撮影した場合の最適な撮影制御情報を決定する。
これは例えば、前述したようにカメラ１２のＧＰＳ情報やカメラ１２から受信した無線通信部１４の位置等の情報からカメラ１２から被写体１０までの距離を計算し、その距離を基に最適なズーム倍率やＡＦ制御情報を導出してもよいし、または、事前にテーマパークの管理カメラで撮影した画像から最適な撮影情報を管理サーバ１６に記録しておき、顧客のカメラ１２の位置から被写体１０を撮影した場合の最適なＡＥ制御情報を管理サーバ１６に記録された情報から導出するようにしてもよい。管理サーバ１６は、このようにして決定された最適な撮影制御情報によってカメラ１２の自動撮影制御を行う。
【００２８】
次にステップ２５０において、管理サーバ１６は、各顧客毎の登録データを管理して、その撮影タイミングの直前（例えばｎ秒前）にカメラ１２をリモートコントロールモードに切り換える。リモートコントロールモードに切り換えられたことは、例えば音声等によって顧客に通知される。
次にステップ２６０において、顧客は、カメラ１２を被写体１０に向けて構えているだけで、ＡＥ、ＡＦ、ズーム、ストロボ等の制御はすべて管理サーバ１６がリモートコントロールで行い、指定された撮影タイミングで自動的にシャッタが切られ、完全な自動撮影が行われる。
撮影終了後ステップ２７０において、管理サーバ１６は、カメラ１２のリモートコントロールモードを解除する。
【００２９】
なお、以上説明した各実施形態において、カメラ１２は、テーマパークの無線通信部１４と交信できる無線機能を有するものであれば、顧客自身のカメラでもよく、テーマパークで貸し出されたものでもよい。
また、撮影シーンを登録する際に、カメラ１２の機種情報を管理サーバ１６側に送信し、管理サーバ１６で、受信したカメラ機種に基づいてそのカメラ１２の性能を反映させたカメラ制御を行うようにしてもよい。例えば、カメラ機種によって管理サーバ１６がシャッタオンという信号をカメラ１２に対して出しても、タイムラグが大きい場合には、前倒しの撮影タイミングに補正するようにしたり、連続コマ撮影とするようにしてもよい。
【００３０】
また、予告編において、連続する撮影画像から被写体部分のみを切り出し、背景画像の上に順次重ねて合成し、被写体の動きを静止画像で表現するマルチモーション撮影モードを選択できるようにしてもよい。この場合には、該当する撮影コマに対して、マルチモーションモード画像であることを示す情報を付加しておく。マルチモーション撮影モードを指定した場合には、プリント注文時に、一連の撮影コマを用いてマルチモーション画像が作成される。
【００３１】
また、上記実施形態では、顧客がカメラから発信した位置を管理サーバ側で特定し、その位置から被写体を撮影するのに最適な撮影制御情報を決定したが、逆に、顧客が登録したシーンを撮影するのに最適な位置を管理サーバ側から顧客のカメラに通知するようにしてもよい。
例えば、テーマパーク内で複数のイベントについて撮影シーンが登録されている場合に、管理サーバが次の撮影シーンを撮るためのスケジュールや道案内をするようにしてもよい。
【００３２】
また、上記実施形態は、テーマパークにおけるイベント撮影の例であったが、本発明の適用対象はこれに限定されるものではなく、この他に、例えば演劇やショー等の鑑賞、スポーツやレース等の観戦、花火等の見物における撮影のように素人ではシャッタを切るタイミング制御が難しい様々な場合に適用することができる。
【００３３】
例えば、演劇等においては、カメラ位置はその顧客が座った座席の位置として検出される。このためには、例えば座席にその位置を劇場の管理サーバに通知するスイッチ等を設置するようにすればよい。予告編の登録やカメラへの送信、撮影シーンの登録、撮影制御はテーマパークにおけるイベント撮影の場合と同様である。また、演劇等が必ずしも予定時間通りに進行しない場合には、シャッタタイミングを手動で補正できるようにしてもよい。
【００３４】
また、スポーツ観戦の場合、例えば野球でバッターが打つ瞬間を撮影するような場合には、バッターボックスは固定されているので、被写体の位置は決まっており、顧客の位置は、演劇の場合と同様に球場におけるその顧客の座席から検出すればよい。また、シャッタを切るタイミングの制御は、例えばプロのカメラマン級の写真の腕前を持つオペレータが、管理センタ等のモニタ等で野球の試合を見ながら管理サーバを通じてカメラに指示を出してシャッタ制御するようにすればよい。
また、顧客のカメラと連動したモニタをオペレータが見るようにすれば、必ずしもバッターやピッチャーのように位置が決まったものばかりではなく、打球とともに動く野手の撮影も可能である。この場合、撮影シーンの指定は捕球の瞬間等決定的なシーン、等のかなりラフに指定しておき、あとはオペレータにおまかせにすればよい。さらに、同様にすれば、サッカーの試合等の場合においても、ゴールの瞬間の写真の撮影等にも適用可能である。
【００３５】
また、陸上競技やレース観戦の場合においては、顧客が指定した、ある特定の地点を選手が通過する瞬間の写真を、オペレータのシャッタ制御によって撮影することもできる。または、例えば選手のユニフォームにＩＣタグを貼付し、位置をセンサで把握するシステムにおいて、選手の動きから通過タイミングを自動予測することもできる。
また、その他、花火の打ち上げにおいては、予め打ち上げ後何秒後に花火が開くかを管理サーバに設定しておき、花火の打ち上げと連動してシャッタ制御するようにしてもよい。もちろんこの場合にも、オペレータが花火の開花に合わせてシャッタを制御するようにしてもよい。
【００３６】
なお、上記実施形態において、管理サーバ側のデータベースに登録される予告編データに、そのイベントの開演後○分○秒後という情報を付加しておき、顧客が撮影シーンを管理サーバ側に登録すると、管理サーバが、そのシーンは開演後○分○秒後であるという情報をカメラ側に送信し、指定シーンの撮影タイミングを顧客カメラ側で管理するようにしてもよい。
この場合、開演スタート時に顧客がカメラのタイマー開始ボタンを押すと、カメラは開演後の時間のカウントを行う。そして、カメラは指定タイミングｎ秒前になると、指定シーンが近いことを知らせる予告表示を行う。また、開演スタートタイミングまたは予定プログラムの進行状況のずれを補正する信号を管理サーバ側から随時顧客側のカメラに発信するようにしてもよい。あるいは、手動で補正できるようにしてもよい。これにより、さらに正確にタイミング合わせをすることができる。
【００３７】
以上、本発明の撮影制御方法について、詳細に説明したが、本発明は、以上の実施形態に限定されるものではなく、本発明の要旨を逸脱しない範囲において、各種の改良や変更を行ってもよいのはもちろんである。
【００３８】
【発明の効果】
以上、説明した通り、本発明によれば、演劇やスポーツ等において、顧客が撮りたいシーンのタイミングを逃すことなく写真撮影を行うことが可能となる。
【図面の簡単な説明】
【図１】本発明に係る撮影制御方法の実施形態を示す説明図である。
【図２】本発明の第１実施形態の作用を示すフローチャートである。
【図３】本発明の第２実施形態の作用を示すフローチャートである。
【符号の説明】
１０  被写体
１２  カメラ
１４  無線通信部
１６  管理サーバ
１８  データベース
【図１】
2004297197.tif 000003
【図２】
2004297197.tif 000004
【図３】
2004297197.tif 000005